(57)【要約】【構成】所定長さの接着テープ（９）からなり、このテープの一端または両端に装飾品（２）を結んだギフトバッグまたはショッピングバッグを装着する装置である。この装置は、線形運動および角度運動を行うアクチュエータ、一対の空圧ペンチ（８、８´）、カッター（１０）、接着テープのロールを支持するリール（１１）、スティッチ装置（１２）およびテープに結ばれる装飾品のディスペンサーからなる装置によって連続製造される。マイクロプロセッサが、ペンチがカッターを介してテープ端部に係合し、テープを予め設定された長さ引っ張り、これをスティッチ装置と第１ポンポンとの間に引き込む方法の各ステップをサイクル的に実行する装置を制御する。次にカッターがテープをカットする。テープの非接着面にポンポン（２）をスティッチし、ペンチが同じ長さ引っ張り、その他端をスティッチ装置とテープにスティッチする第２ポンポンとの間に引き込む。ペンチが回転し、開いて、完成品を排出する。【選択図】図８
2009517121.tif 000002
【特許請求の範囲】
【請求項１】
所定長さの接着テープからなる、特にギフトバッグを対象とする装着装置において、この所定長さのテープの一端に固定した少なくとも一つのリボン状または非リボン状の装飾品を有し、必要に応じて、上記装置が手動でこの装飾品を装着できるようにしたことを特徴とする装着装置。
【請求項２】
上記装飾品がリボンからなるポンポンである請求項１記載の装着装置。
【請求項３】
上記装飾品がリボンからなる蝶結びである請求項１記載の装着装置。
【請求項４】
上記装飾品がリボンからなる星形である請求項１記載の装着装置。
【請求項５】
上記装飾品がコケードである請求項１記載の装着装置。
【請求項６】
上記と同じタイプの第２装飾品を所定長さのテープの他端に取り付けた請求項１〜５のいずれか１項記載の装着装置。
【請求項７】
テープの全長にそって上記と同じタイプの複数の装飾品を取り付けた請求項１〜６のいずれか１項記載の装着装置。
【請求項８】
請求項１記載の装着装置の製造方法において、
ａ）ペンチ（７、８、８´）を使用して接着テープ（９）のロールの端部を取り上げ、これをカッター（１０、１０´）に送り込むステップ、
ｂ）テープ（９）を貼着した状態でペンチ（７、８、８´）を所望長さのテープに対応する距離並進（１５、１６）させて、各動作サイクル時に製造された第１のリボン状または非リボン状の装飾品（２）と、この装飾品（２）をテープ（９）の非接着面に装着する装置（１２）との間に上記端部を設定するステップ、
ｃ）カッター（１０、１０´）でテープ（９）を切断するステップ、
ｄ）第１装飾品（２）をテープ（９）の係合端部に永久的に取り付けるステップ、
ｅ）第２並進（１７、１８）をステップ（ｂ）と同じ長さ行うステップ、および
ｆ）ペンチ（７、８、８´）を開いて、完成品を落とすステップからなるサイクルを繰り返すことを特徴とする製造方法。
【請求項９】
ステップ（ｅ）において、各動作サイクルで製造した第２のリボン状または非リボン状の装飾品（３１）を上記長さのテープ（９）の他端に固定する請求項８記載の方法。
【請求項１０】
ステップ（ｆ）において、解除する前に、ペンチ（７、８、８´）を、予め設定した角度に回転させる請求項８または９記載の方法。
【請求項１１】
請求項９記載の方法を実施する装置において、
接着テープ（９）のロールの端部に係合し、これをカッター（１０、１０´）に送り込む手段（７、８、８´）、
この係合手段（７、８、８´）を予め設定された長さにそって並進させる第１手段（１５、１６）、
テープの非接着面の所定位置にあるリボン状または非リボン状の装飾品（２、３１、３２）を送り出す手段であって、上記の予め設定された長さに対応する、カッター（１０、１０´）からの距離に上記装飾品を設けた手段（１、３０）、
上記送り出し手段（１、３０）に対向するテープの接着面上の上記テープ（９）に上記装飾品（２、３１、３２）を固定する手段（１２）、
上記第１並進手段（１５、１６）の下流側に設けられ、上記係合手段（７、８、８´）の並進を上記の予め設定された距離だけ行う第２並進手段（１７、１８）、および
上記第１並進手段（１５、１６）に連続的に接合された完成品を排出する手段（５、７、８、８´）を有することを特徴とする装置。
【請求項１２】
上記排出手段が、上記係合手段（７、８、８´）を予め設定された角度に回転させる手段（５）を有する請求項１１記載の装置。
【請求項１３】
上記並進手段（１５、１７）および上記回転手段（５）がアクチュエータである請求項１１または１２記載の装置。
【請求項１４】
上記係合手段（７、８、８´）が空圧ペンチを有する請求項１１記載の装置。
【請求項１５】
上記固定手段（１２）がスティッチ装置を有する請求項１１記載の装置。
【請求項１６】
装飾品を排出する上記手段（１、３０）がこれら装飾品を製造する装置を有する請求項１１記載の装置。
【発明の詳細な説明】
【技術分野】
【０００１】
本発明は、全体としては装飾品、具体的にはプレゼント品を包む包装体用の装着品であって、装着が簡単な上に見た目もよい装着品を製造する方法および装置に関する。
【背景技術】
【０００２】
従来行われている紙と紐を利用して包装するのではなく、ギフトを包むために、紙製、織布や不織布製、あるいはプラスチック材料製の手提げタイプのバッグを利用することが現在の流行である。図１Ａは、ショッピングバッグとしても知られているバッグの上縁部を閉じるために利用されている粘着テープとも呼ばれている短冊状の半透明接着テープを示す図である。図１Ｂおよび図１Ｃは、図１Ａの接着テープで閉じた状態を示すバッグの正面図および斜視図である。
【０００３】
縁部が平行なため、手提げ紐とは別に、このバッグは、接着テープ、ラベル、クリップまたはペグなどで閉じるのに便利である。これら装着方法は、機械的作用（クリップ、ペグ）によって、あるいは表面の接着性（テープ、ラベル）を利用することによって閉じるのにマッチしている。図１Ａに示す装着手段は明らかに簡単過ぎるため、バッグの装飾品とはならない。図２Ａおよび図２Ｂは、上述したようにしてバッグを閉じた後により見た目によい効果を与えるいくつかの公知方法を示す図である。
【０００４】
図２Ａは、両縁部を接合するラベルで中央を閉じ、手提げ紐にリボンを結びつけた図１Ｂと同じバッグを示す図である。この場合、テープは、二本の手提げ紐を接合する機能と、装飾効果を示す機能をもつ。二本の手提げ紐を接合するだけでは、バッグに包んだものが飛び出ることを防ぐには十分でなく、このためラベルを貼着し、全体の効果を視覚的に強化している。図２Ｂは、クリップを中央に設けて両縁部を閉じ、上部に装飾効果を目的として蝶結びを設けた図１Ｂと同じバッグを示す図である。
【０００５】
これら従来例の場合、装着具と装飾品との間に大きな違いが明らかに存在し、バッグの
手提げ紐がないと、この違いはますますはっきりしてくる。
【０００６】
注意しないと、バッグを接着テープまたはラベルで閉じるさいに、接着側が重なり、接着するため、装着が無意味になる。これを避けるためには、接着面を短冊状の保護紙で覆えばよいが、保護紙は裂けやすい。保護紙が裂けた場合に、指が接着面に触れることを避けるために、保護紙に予め少なくとも一つのマージンを設ければよいが、このマージンに親指が触れる傾向が出てくる。この場合にも、表面が重なる恐れがある。というのは、特に手提げバッグの手提げ紐が邪魔になる場合、剥き出しのテープを指先で支えることは簡単なことではないからである。
【０００７】
これらの問題は、装着のために接着テープを利用するさいに発生する固有の問題であり、美的な面から発生する問題とはまったく別なものである。
【発明の開示】
【発明が解決しようとする課題】
【０００８】
本発明の目的は、上記問題を解決した状態で、ギフトを包む手提げバッグを閉じる特性と、使用が簡単な上により魅力のある美的効果とを併せ持つ装置を提供することである。
【０００９】
本発明の別な目的は、この装着装置を製造する方法を提供することである。
【００１０】
本発明のさらに別な目的は、上記方法に従って装着装置を順に製造する装置を提供することである。
【課題を解決するための手段】
【００１１】
本発明によれば、上記目的は、請求項１に記載したように、接着テープからなる装着装置を提供することにより実現できる。
【発明を実施するための最良の形態】
【００１２】
図３Ａ、図４Ａおよび図５Ａは、本発明に従って、特にギフトバッグ用として装着兼装飾装置を製造する三つの方法を示す図である。図示の装置は、それぞれ、テープの両端に星、蝶結びおよびポンポンの形を取る装飾品を有する。図３Ｂ、図４Ｂおよび図５Ｂは、装飾品を接着テープの一端のみに装着した本発明の利用範囲がより広く、コストの低い実施態様を示す図である。これら実施態様では、蝶結び、ポンポン、コケード、星、リボンなどの各種の装飾品を利用できる。いずれも見た目が違うだけで、実際上の機能は同じである。図６および図７は、それぞれ、図５Ａのポンポンを利用して装着装飾したギフトバッグの正面図および側面図である。
【００１３】
本発明によってバッグに実現されたよりエレガントな効果は、図６および図７と図１Ｂおよび図１Ｃに示す従来例との比較から直ちに理解できるはずである。また、図からはわかりにくいが、使用も簡単である。なお、ポンポンや蝶結びの代わりに、美的効果を必要としない用途に向く他のものを使用しても効果は同じである。
【００１４】
本発明装置をバッグに利用するために必要なのは、手提げ紐の有無に関係なく、装着手段のバッグへの利用のしやすさおよびバッグへのエレガントな効果を実現する操作だけである。公知装着手段に伴う問題に関して述べたように、装飾品がただ一つの場合でも、剥き出しのテープの扱いが簡単になり、接着部分が重なる恐れがなくなる上に、バッグの両縁部を固着するために必要な正確な点への適用が簡単になる。
【００１５】
以上の実施例はいずれもギフトバッグのみを対象としているが、図３、図４および図５に示す装着装置はショッピングバッグなどや、ちょっとした美的アクセントを付け加えたい場合や、彩色した紐、テープまたはリボンの代わりに使用することが望ましい場合の包装品に適用することも可能である。
【００１６】
所定長さの接着テープの両端に一つか二つの実用品／装飾品に設ける代わりに、適当なサイズの２つかそれ以上の実用品／装飾品を全長にそって点在させてもよい。
【００１７】
本発明の別な目的は、それ自体十分簡便な方法に関する独立請求項に記載したように、装着装置を製造する方法を提供することである。即ち、ロールから切断され、そして予め設定された長さでこれを切断するカッターを介して供給される接着テープの一端または両端に一連の装飾品を貼着する。
【００１８】
本発明のさらに別な目的は、製造装置に関する独立請求項に記載の上記方法に従って機能する装置を提供することである。この装置は、装着手段を製造するために使用する実用品／装飾品を自動的に供給するディスペンサーを設けた独立した装置か、あるいは上記装飾品を製造する別な装置に付加した形で使用する装置であればよい。いずれの場合も、製造は連続製造である。
【００１９】
本発明のさらに別な目的および作用効果は、本発明実施態様の以下の詳細な説明、および限定を意図しない、例示のみを目的として添付する図面からより明らかになるはずである。
【００２０】
本発明の装着手段を実現するいくつかの実施態様を示す図面については、既に説明したので、以下図８に関して、この手段の製造するために考えられる装置および本発明装置の機能する方法を以下の図面を参照して説明する。
【００２１】
図８に示す装置について説明すると、この装置は構成成分部分１に適用するものであり、製造者側の任意に応じて、ポンポン２の自動ディスペンサーまたはこのポンポンを製造する装置であればよい。図８に示す装置は、主要構成部分を示し、かつ製造時これらがどのような関係にあるかを示す簡略化した形態にある。
【００２２】
図示を明瞭にするために、産業上利用されている自動機械の設計者にはよく知られている他の部分については図示を省略してある。装置全体の動作は、通常この目的のために利用されているセンサおよびアクチュエータによってマイクロプロセッサによって制御する。
【００２３】
図８の装置は、ディスペンサー／成形手段１および完成品を保持する容器２３を含む各種の構成成分部分を固定するフレーム３を有する。この固定フレーム３は、最上端に可動部分４を有する。この可動部分としては、形状が四角形のシェルフを適用することができる。このシェルフは、フレーム３の２つの垂直ガイド２１、２２にそって前後にスライドし、そして垂直ガイド２１に固定された線形運動アクチュエータ１９によって移動する。なお、アクチュエータ１９のスライドアーム２０はシェルフ４の下側の一端に固定する。シェルフ４の上部に３つのアクチュエータを取り付ける。このうち最初の２つ、１５と１７は、線形運動を行い、そして第３のアクチュエータ５は角度運動を行う。アクチュエータ１７は、フレーム３の一方の側でシェルフ４に固着し、そしてそのスライドアーム１８を、次のアクチュエータ１５の固定プレートになるプレートに固定する。このアクチュエータおよびその固定プレートは、アクチュエータ１７によって移動させられたときに、前後水平に並進できるようにシェルフ４に取り付ける。アクチュエータ１５のスライドアーム１６は、次の角度アクチュエータ５を支持する固定プレートに固定する。このアクチュエータおよびその固定プレートは、シェルフ４に固定し、アクチュエータ１５、１７の合成圧力により前後水平に並進できる。角度アクチュエータ５の回転アーム６は、各端部に一つずつ合計２つの把持手段８、８´を設けた一対の空圧ペンチ７に接合して、装着装置の連続製造に使用する接着テープ９の自由端部を把持する。
【００２４】
フレーム３のアクチュエータ１７側における中間上部に、接着テープ９のロールを有するリール１１を支持する固定支持体を設ける。この支持体は、リール１１から所定の距離をおいてテープ９が移動する線上に設けられたカッター１０を有する。この距離については、リール支持構造の水平支持部にそってカッター１０を移動し、そして相互に短い距離をおいて設けられた穴にこれをねじ込むことによって調節できる。スライドシェルフ４の下であって、垂直な空圧ペンチ７とカッター１０との間において、スティッチ装置１２の上端に固定した第４線形運動アクチュエータ１３を並進させるために使用する短い２つの平行ガイドを固定する。アクチュエータ１３のアーム１４は、シェルフ４に固定し、スティッチ装置１２がシェルフに対して上下に並進できるように構成する。ディスペンサー／成形手段１が、テープ９にスティッチされているときにポンポン２を維持するように設けられたスティッチ装置１２に正確に対向する位置のエレベータが現れる上部開口を介してポンポン２を供給する。このテープ９の場合、短冊状の保護紙（図示省略）を、スティッチ装置１２に対向する上部の接着剤塗布面に貼着してある。保護紙に予め適当な間隔をおいて切れ目を入れておくと、保護紙の引き剥がしが簡単になる。あるいは、これら切れ目については、カッター１０内部にあるときに、入れてもよい。
【００２５】
次に、図９〜図１６について、本発明の製造方法に従って動作する図８の装置の動作を詳細に説明する。装置の構成については、個々のパーツは、既に市場に出回っているか、あるいは当業者によって簡単に設計できるため、公知である。なお、これらパーツは所定に位置に配置され、また目的の製品を得るために独特な方法でタイミングを合わせて動作する。この点で注意すべきは、装置が自由度をもち、従って異なる長さおよび異なるタイプの装着手段を製造でき、また多数の機能的／装飾用物品を製造できることである。テープ９に与えられる長さは、全体として、贈り物用包装体のサイズに依存するものであり、これは、装飾体それ自体のサイズについても部分的にいえる。従って、テープ９の長さは、リール１１からの考えられる最小の長さと最大の長さとの間において支持フレームワークにそってカッター１０の位置を調節することによって最大と最小との間で変更できる。カッター１０を所定位置に保持する装置も調節できるため、これとリール１１との間の距離も変更できる。なお、この変更は、別な線形運動アクチュエータによって自動的に行える。ガイド２１にそって上下動する線形運動アクチュエータ１９に与えられる位置、およびそのアーム２０の長さについては、リール１１がおしつぶされない程度に設定するが、安全性を強化するために、ガイド２１、２２にそって移動停止手段を設けてもよい。スティッチ装置１２はシェルフ４の垂直並進運動に関与し、その並進運動を加えるため、各動作サイクル開始時にこれを持ち上げ、空圧ペンチ７がカッター１０に到達し、テープが所定の長さに切断されるたびに、カッターを越えてテープ９の端部を拾い上げる。カッター１０の場合、刃が自動的に離れ、ペンチ７の２つの把持端部８、８´が刃を通過して接着テープ９の両面位置を占めるまで、切断後テープ９を保持する。スティッチ装置１２の代わりに、ステープラまたは接着剤を使用してもよい。空圧ペンチ７は９０°回転でき、この回転位置で断続的に機能し、一連のポンポンまたはその他の類似物品を、これらの大きさが小さい場合には、相互に各切断テープにスティッチする。この場合、制御マイクロプロセッサが、カッター１０を抑制保持し、アクチュエータ１５のアーム１６および空圧ペンチ７を前後に並進させるため、所定の短いテープ９をスティッチ装置１２の下に順次引き込むことができる。
【００２６】
以下、図８の装置を機能動作させる方法について説明する。なお、以下の図面においても図８と同じ符号を使用する。製造方法の各ステップは、順に、マイクロプロセッサに記憶されているプログラムに対応する。
【００２７】
ステップ１（図９）において、空圧ペンチ７がカッター１０を介してロール１１から接着テープ９を取り出す。
【００２８】
ステップ２（図１０）において、線形運動アクチュエータ１５のアーム１６の延伸によって移動する空圧ペンチ７が接着テープ９をディスペンサー／ポンポン成形手段１の上に搬送し、その後、カッター１０が予め設定された長さに接着テープ９を切断する。並進運動の長さは、テープ９の目的の長さに一致している。
【００２９】
ステップ３（図１１）において、図８のシェルフ４に接合した装置全体（即ち、１０、１０´、１１を除く、図面に示した部品すべて）を下げ、所定長さの接着テープ９をディスペンサー／ポンポン成形手段１の上に搬送し、第２の場合には、ポンポン２の仕上げ処理を行う。次に、スティッチ装置１２がポンポン２を接着テープ９にスティッチする。
【００３０】
ステップ４（図１２）において、上記と同じ機構をその始動レベルに持ち上げ、そして接着テープ９にスティッチされているため引っ張られ、ポンポン２がディスペンサー／ポンポン成形手段１に固定されているスタンド３０から外れる。
【００３１】
ステップ５（図１３）において、線形運動アクチュエータ１７のアーム１８の延伸によって移動する空圧ペンチ７が左にさらに並進し、所定長さのテープ９の一端にスティッチされたポンポン２を引っ張る一方で、別なポンポン３１をスタンド３０に準備しておく。アーム１８の延伸長さは、ステップ２の場合と同じである。即ち、所定長さのテープ９の自由端部を新たに成形されたポンポン３１の上に正確に搬送するために十分な長さである。
【００３２】
ステップ６（図１４）において、ステップ３と同様に、装置全体を新たなポンポン３１の上に下げ、スティッチ装置１２が第２のポンポンを所定長さの接着テープ９の他端にスティッチする。
【００３３】
ステップ７（図１５）において、ステップ４と同様に、装置全体を動作開始レベルまで持ち上げ、完成製品を搬送する。角度運動アクチュエータ５のアーム６が回転し、空圧ペンチ７を容器２３の上に位置させる（図８）。次に、空圧ペンチ７の把持端部８、８´が開き、製品を容器２３内に落とす。
【００３４】
ステップ８（図１６）において、角度運動アクチュエータ５の回転アームの場合と同様に、線形運動アクチュエータ１５、１７の延伸アーム１６、１８が初期位置に戻り、新たな装飾品を製造する新たな製造サイクルを開始する。空圧ペンチ７が移動し、別な接着テープ９を把持し、新たな装飾品３２をスタンド３０に準備する。
【００３５】
なお、一端に一つのポンポンをもつ装着手段を製造する実施態様では、ステップ１〜５を実行し、次に直接ステップ７、８に移る。即ち、第２ポンポンにスティッチするステップ６については省略する。
【００３６】
本発明について、実施の具体例を限定する意図なく、説明のみを目的として説明し、かつ本質的特長を説明してきたが、産業上、または商業上その他の必要条件に従って各種の変更が可能であり、また動作の基本原理から逸脱することなく、他のシステムや手段なども実行可能である。
【００３７】
従って、本優先権出願には、技術思想の等価な応用、および特許請求の範囲に記載した特長のうち一つかあるいは複数に従って等価な製品および／または動作を実現することができる。
【図面の簡単な説明】
【００３８】
【図１】図１Ａは、既に公知は方法でギフトバッグの縁部を装着するために使用する簡単な接着テープを示す図である。図１Ｂ、図１Ｃは、図１Ａに示した短冊状の接着テープで装着したギフトバッグをそれぞれ示す正面図および側面図である。
【図２】図２Ａ及び図２Ｂは、既に言及した図であり、従来から行われている、公知手段によって装着し、かつ２種類の装飾品で仕上げ処理した同じギフトバッグを示す図である。
【図３】図３Ａ及び図３Ｂは、既に言及した図であり、それぞれ本発明の要旨に従ってギフトバッグを装着する装着装置の一例を示す図である。
【図４】図４Ａ及び図４Ｂは、既に言及した図であり、それぞれ本発明の要旨に従ってギフトバッグを装着する装着装置の一例を示す図である。
【図５】図５Ａ及び図５Ｂは、既に言及した図であり、それぞれ本発明の要旨に従ってギフトバッグを装着する装着装置の一例を示す図である。
【図６】既に言及した図であり、それぞれ、図５Ａの装置を利用して装着し、装飾処理したギフトバッグの正面図である。
【図７】既に言及した図であり、それぞれ、図５Ａの装置を利用して装着し、装飾処理したギフトバッグの側面図である。
【図８】図５に示した装着手段を連続製造する装置を示す一応の概略図である。
【図９】動作方法における各ステップ時、図８の装置の各構成部分が占めると考えられる往復運動位置を示す図である。
【図１０】動作方法における各ステップ時、図８の装置の各構成部分が占めると考えられる往復運動位置を示す図である。
【図１１】動作方法における各ステップ時、図８の装置の各構成部分が占めると考えられる往復運動位置を示す図である。
【図１２】動作方法における各ステップ時、図８の装置の各構成部分が占めると考えられる往復運動位置を示す図である。
【図１３】動作方法における各ステップ時、図８の装置の各構成部分が占めると考えられる往復運動位置を示す図である。
【図１４】動作方法における各ステップ時、図８の装置の各構成部分が占めると考えられる往復運動位置を示す図である。
【図１５】動作方法における各ステップ時、図８の装置の各構成部分が占めると考えられる往復運動位置を示す図である。
【図１６】動作方法における各ステップ時、図８の装置の各構成部分が占めると考えられる往復運動位置を示す図である。
【符号の説明】
【００３９】
１：ディスペンサー／成形手段、
２：ポンポン、
３：フレーム、
４：シェルフ、
６：回転アーム、
７：空圧ペンチ、
８：把持手段、
９：接着テープ、
１０：カッター、
１１：リール、
１２：スティッチ装置、
１５、１７、１９：アクチュエータ、
１８、２０：スライドアーム、
２１、２２：垂直ガイド。
【図１】
2009517121.tif 000003
【図２】
2009517121.tif 000004
【図３】
2009517121.tif 000005
【図４】
2009517121.tif 000006
【図５】
2009517121.tif 000007
【図６】
2009517121.tif 000008
【図７】
2009517121.tif 000009
【図８】
2009517121.tif 000010
【図９】
2009517121.tif 000011
【図１０】
2009517121.tif 000012
【図１１】
2009517121.tif 000013
【図１２】
2009517121.tif 000014
【図１３】
2009517121.tif 000015
【図１４】
2009517121.tif 000016
【図１５】
2009517121.tif 000017
【図１６】
2009517121.tif 000018
【手続補正書】
【提出日】平成20年1月25日(2008.1.25)
【手続補正１】
【補正対象書類名】特許請求の範囲
【補正対象項目名】全文
【補正方法】変更
【補正の内容】
【特許請求の範囲】
【請求項１】
所定長さの接着テープの一端に第１のリボン形装飾品（図３Ｂ、図４Ｂ、図５Ｂ）または非リボン形装飾品を結んだ、両縁部（図６、図７）をもつバッグの装着装置において、さらに、所定長さのテープの他端に第１のリボン形装飾品と同じタイプの第２装飾品（図３Ａ、図４Ａ、図５Ａ）を結び、上記装置が手動でこの装飾品を取り上げ、接着テープをバッグの２つの接合縁部（図６、図７）に装着できるようにしたことを特徴とする装着装置。
【請求項２】
上記装飾品がリボンからなるポンポンである請求項１記載の装着装置（図５Ａ）。
【請求項３】
上記装飾品がリボンからなる蝶結びである請求項１記載の装着装置（図４Ａ）。
【請求項４】
上記装飾品がリボンからなる星形である請求項１記載の装着装置（図３Ａ）。
【請求項５】
上記装飾品がコケードである請求項１記載の装着装置。
【請求項６】
テープの全長にそって上記と同じタイプの複数の装飾品を取り付けた請求項１〜５のいずれか１項記載の装着装置。
【請求項７】
請求項１記載の装着装置の製造方法において、
ａ）ペンチ（７、８、８´）を使用して接着テープ（９）のロールの端部を取り上げ、これをカッター（１０、１０´）に送り込むステップ、
ｂ）テープ（９）を貼着した状態でペンチ（７、８、８´）を所望長さのテープに対応する距離並進（１５、１６）させて、各動作サイクル時に製造された第１のリボン状または非リボン状の装飾品（２）と、この装飾品（２）をテープ（９）の非接着面に装着する装置（１２）との間に上記端部を設定するステップ、
ｃ）カッター（１０、１０´）でテープ（９）を切断するステップ、
ｄ）第１装飾品（２）をテープ（９）の係合端部に永久的に取り付けるステップ、
ｅ）第２並進（１７、１８）をステップ（ｂ）と同じ長さ行うステップ、
ｆ）上記と同じタイプの第２装飾品（３１）を所定長さのテープ（９）の他端に永久的に取り付けるステップ、および
ｇ）ペンチ（７、８、８´）を開いて、完成品を落とすステップからなるサイクルを繰り返すことを特徴とする製造方法。
【請求項８】
ステップ（ｇ）において、解除する前に、ペンチ（７、８、８´）を、予め設定した角度に回転させる請求項７記載の方法。
【請求項９】
請求項７記載の方法を実施する装置において、
接着テープ（９）のロールの端部に係合し、これをカッター（１０、１０´）に送り込む手段（７、８、８´）、
この係合手段（７、８、８´）を予め設定された長さにそって並進させる第１手段（１５、１６）、
テープの非接着面の所定位置にあるリボン状または非リボン状の装飾品（２、３１、３２）を送り出す手段であって、上記の予め設定された長さに対応する、カッター（１０、１０´）からの距離に上記装飾品を設けた手段（１、３０）、
完成品の各端部に対応するテープ（９）に上記装飾品（２、３１、３２）を固定する手段であって、上記送り出し手段（１、３０）に対向するテープの接着面に設けた手段（１２）、
上記第１並進手段（１５、１６）の下流側に設けられ、上記係合手段（７、８、８´）の並進を上記の予め設定された距離だけ行う第２並進手段（１７、１８）、および
上記第１並進手段（１５、１６）に連続的に接合された完成品を排出する手段（５、７、８、８´）を有することを特徴とする装置。
【請求項１０】
上記排出手段が、上記ペンチ（７、８、８´）を予め設定された角度に回転させる手段（５）を有する請求項９記載の装置。
【請求項１１】
上記並進手段（１５、１７）および上記回転手段（５）がアクチュエータである請求項９または１０記載の装置。
【請求項１２】
上記ペンチ（７、８、８´）を空圧制御する請求項９記載の装置。
【請求項１３】
上記固定手段（１２）がスティッチ装置を有する請求項９記載の装置。
【請求項１４】
装飾品を排出する上記手段（１、３０）がこれら装飾品を製造する装置を有する請求項９記載の装置。
【手続補正２】
【補正対象書類名】明細書
【補正対象項目名】全文
【補正方法】変更
【補正の内容】
【発明の詳細な説明】
【技術分野】
【０００１】
本発明は、全体としては装飾品、具体的にはプレゼント品を包む包装体用の装着品であって、装着が簡単な上に見た目もよい装着品を製造する方法および装置に関する。
【背景技術】
【０００２】
従来行われている紙と紐を利用して包装するのではなく、ギフトを包むために、紙製、織布や不織布製、あるいはプラスチック材料製の手提げタイプのバッグを利用することが現在の流行である。図１Ａは、ショッピングバッグとしても知られているバッグの上縁部を閉じるために利用されている粘着テープとも呼ばれている短冊状の半透明接着テープを示す図である。図１Ｂおよび図１Ｃは、図１Ａの接着テープで閉じた状態を示すバッグの正面図および斜視図である。
【０００３】
縁部が平行なため、手提げ紐とは別に、このバッグは、接着テープ、ラベル、クリップまたはペグなどで閉じるのに便利である。これら装着方法は、機械的作用（クリップ、ペグ）によって、あるいは表面の接着性（テープ、ラベル）を利用することによって閉じるのにマッチしている。図１Ａに示す装着手段は明らかに簡単過ぎるため、バッグの装飾品とはならない。図２Ａおよび図２Ｂは、上述したようにしてバッグを閉じた後により見た目によい効果を与えるいくつかの公知方法を示す図である。
【０００４】
図２Ａは、両縁部を接合するラベルで中央を閉じ、手提げ紐にリボンを結びつけた図１Ｂと同じバッグを示す図である。この場合、テープは、二本の手提げ紐を接合する機能と、装飾効果を示す機能をもつ。二本の手提げ紐を接合するだけでは、バッグに包んだものが飛び出ることを防ぐには十分でなく、このためラベルを貼着し、全体の効果を視覚的に強化している。図２Ｂは、クリップを中央に設けて両縁部を閉じ、上部に装飾効果を目的として蝶結びを設けた図１Ｂと同じバッグを示す図である。
【０００５】
これら従来例の場合、装着具と装飾品との間に大きな違いが明らかに存在し、バッグの手提げ紐がないと、この違いはますますはっきりしてくる。
【０００６】
注意しないと、バッグを接着テープまたはラベルで閉じるさいに、接着側が重なり、接着するため、装着が無意味になる。これを避けるためには、接着面を短冊状の保護紙で覆えばよいが、保護紙は裂けやすい。保護紙が裂けた場合に、指が接着面に触れることを避けるために、保護紙に予め少なくとも一つのマージンを設ければよいが、このマージンに親指が触れる傾向が出てくる。この場合にも、表面が重なる恐れがある。というのは、特に手提げバッグの手提げ紐が邪魔になる場合、剥き出しのテープを指先で支えることは簡単なことではないからである。
これらの問題は、装着のために接着テープを利用するさいに発生する固有の問題であり、美的な面から発生する問題とはまったく別なものである。
【０００７】
ＵＳ−Ａ−５６１４２７４には、対象品に適用する自動接着蝶結びであって、ａ）ベース部分をもつ予め成形した蝶結び、ｂ）表面を感圧接着層でコーティングし、両接着面を最初に相互接着した一対の可撓性リボン適用バンド、および（ｃ）両面バンドの一端を蝶結びのベース部分に固定するステープルなどの手段からなり、ｄ）上記バンドを分離し、感圧接着層の露出面を対照品に貼着して蝶結びを対照品に接着できるようにした自動接着蝶結びが開示されている。
【０００８】
この自動接着蝶結びの場合、簡単に剥離できる接着層を利用しているため、接着面が重なる問題が発生することが大幅に減るが、視覚上の点については改善のヒントはない。さらに、所定長さの２つの接着テープ間の中央に蝶結びが位置しているため、両縁部を閉じるギフトバッグなどのバッグを閉じるためには不十分なように思われる。
【０００９】
装飾品を短冊状の接着層とともにバッグや包装体に取り付ける方法および装置に関して、関心の対象となる技術がＵＳ−Ａ−３６１６９７４公報に開示されている。即ち、装飾用蝶結びの製造方法と製造装置が開示されている。この装飾用蝶結びの場合、一連の連続リボンループを並置し、最初のループに直交する複合的な支持短冊の接着面に押圧する。これは、ロールを使用して、保護紙短冊から支持短冊を剥離することを意味している。開示されている装置は、短冊送り機構およびリボン送り機構を有する。短冊送り機構が線形路の一端で接着短冊を受け取り、切断装置を設けた線経路の他端のループ化ステーションの前にある、リボン送り機構に向けて直線ガイドにそって短冊を押出す。短冊送り機構は多数のピンチロールを有し、これらロールは、角度進行が支持短冊の平均速度を決定するラチェット車によって制御される。支持短冊に関するリボンの速度が速くなると、短い短冊のトラクトが進む間ループが生成する。
【００１０】
後者の装置（および方法）の問題は、考えられる広い範囲から選択できる装飾品（例えば、ポンポン、星、そしてコケードなどの非リボン装飾品）を一端に結んだ所定長さの接着テープのみからなる装着装置を実現できないことである。
【特許文献１】ＵＳ−Ａ−５６１４２７４
【特許文献２】ＵＳ−Ａ−３６１６９７４
【発明の開示】
【発明が解決しようとする課題】
【００１１】
本発明の目的は、上記問題を解決した状態で、ギフトを包む手提げバッグを閉じる特性と、使用が簡単な上により魅力のある美的効果とを併せ持つ装置を提供することである。
【００１２】
本発明の別な目的は、この装着装置を製造する方法を提供することである。
【００１３】
本発明のさらに別な目的は、上記方法に従って装着装置を順に製造する装置を提供することである。
【課題を解決するための手段】
【００１４】
本発明によれば、上記目的は、請求項１に記載したように、接着テープからなる装着装置を提供することにより実現できる。
【発明を実施するための最良の形態】
【００１５】
図３Ａ、図４Ａおよび図５Ａは、本発明に従って、特にギフトバッグ用として装着兼装飾装置を製造する三つの方法を示す図である。図示の装置は、それぞれ、テープの両端に星、蝶結びおよびポンポンの形を取る装飾品を有する。図３Ｂ、図４Ｂおよび図５Ｂは、装飾品を接着テープの一端のみに装着した本発明の利用範囲がより広く、コストの低い実施態様を示す図である。これら実施態様では、蝶結び、ポンポン、コケード、星、リボンなどの各種の装飾品を利用できる。いずれも見た目が違うだけで、実際上の機能は同じである。図６および図７は、それぞれ、図５Ａのポンポンを利用して装着装飾したギフトバッグの正面図および側面図である。
【００１６】
本発明によってバッグに実現されたよりエレガントな効果は、図６および図７と図１Ｂおよび図１Ｃに示す従来例との比較から直ちに理解できるはずである。また、図からはわかりにくいが、使用も簡単である。なお、ポンポンや蝶結びの代わりに、美的効果を必要としない用途に向く他のものを使用しても効果は同じである。
【００１７】
本発明装置をバッグに利用するために必要なのは、手提げ紐の有無に関係なく、装着手段のバッグへの利用のしやすさおよびバッグへのエレガントな効果を実現する操作だけである。公知装着手段に伴う問題に関して述べたように、装飾品がただ一つの場合でも、剥き出しのテープの扱いが簡単になり、接着部分が重なる恐れがなくなる上に、バッグの両縁部を固着するために必要な正確な点への適用が簡単になる。
【００１８】
以上の実施例はいずれもギフトバッグのみを対象としているが、図３、図４および図５に示す装着装置はショッピングバッグなどや、ちょっとした美的アクセントを付け加えたい場合や、彩色した紐、テープまたはリボンの代わりに使用することが望ましい場合の包装品に適用することも可能である。
【００１９】
所定長さの接着テープの両端に一つか二つの実用品／装飾品に設ける代わりに、適当なサイズの２つかそれ以上の実用品／装飾品を全長にそって点在させてもよい。
【００２０】
本発明の別な目的は、それ自体十分簡便な方法に関する独立請求項に記載したように、装着装置を製造する方法を提供することである。即ち、ロールから切断され、そして予め設定された長さでこれを切断するカッターを介して供給される接着テープの一端または両端に一連の装飾品を貼着する。
【００２１】
本発明のさらに別な目的は、製造装置に関する独立請求項に記載の上記方法に従って機能する装置を提供することである。この装置は、装着手段を製造するために使用する実用品／装飾品を自動的に供給するディスペンサーを設けた独立した装置か、あるいは上記装飾品を製造する別な装置に付加した形で使用する装置であればよい。いずれの場合も、製造は連続製造である。
【００２２】
本発明のさらに別な目的および作用効果は、本発明実施態様の以下の詳細な説明、および限定を意図しない、例示のみを目的として添付する図面からより明らかになるはずである。
【００２３】
本発明の装着手段を実現するいくつかの実施態様を示す図面については、既に説明したので、以下図８に関して、この手段の製造するために考えられる装置および本発明装置の機能する方法を以下の図面を参照して説明する。
【００２４】
図８に示す装置について説明すると、この装置は構成成分部分１に適用するものであり、製造者側の任意に応じて、ポンポン２の自動ディスペンサーまたはこのポンポンを製造する装置であればよい。図８に示す装置は、主要構成部分を示し、かつ製造時これらがどのような関係にあるかを示す簡略化した形態にある。
【００２５】
図示を明瞭にするために、産業上利用されている自動機械の設計者にはよく知られている他の部分については図示を省略してある。装置全体の動作は、通常この目的のために利用されているセンサおよびアクチュエータによってマイクロプロセッサによって制御する。
【００２６】
図８の装置は、ディスペンサー／成形手段１および完成品を保持する容器２３を含む各種の構成成分部分を固定するフレーム３を有する。この固定フレーム３は、最上端に可動部分４を有する。この可動部分としては、形状が四角形のシェルフを適用することができる。このシェルフは、フレーム３の２つの垂直ガイド２１、２２にそって前後にスライドし、そして垂直ガイド２１に固定された線形運動アクチュエータ１９によって移動する。なお、アクチュエータ１９のスライドアーム２０はシェルフ４の下側の一端に固定する。シェルフ４の上部に３つのアクチュエータを取り付ける。このうち最初の２つ、１５と１７は、線形運動を行い、そして第３のアクチュエータ５は角度運動を行う。アクチュエータ１７は、フレーム３の一方の側でシェルフ４に固着し、そしてそのスライドアーム１８を、次のアクチュエータ１５の固定プレートになるプレートに固定する。このアクチュエータおよびその固定プレートは、アクチュエータ１７によって移動させられたときに、前後水平に並進できるようにシェルフ４に取り付ける。アクチュエータ１５のスライドアーム１６は、次の角度アクチュエータ５を支持する固定プレートに固定する。このアクチュエータおよびその固定プレートは、シェルフ４に固定し、アクチュエータ１５、１７の合成圧力により前後水平に並進できる。角度アクチュエータ５の回転アーム６は、各端部に一つずつ合計２つの把持手段８、８´を設けた一対の空圧ペンチ７に接合して、装着装置の連続製造に使用する接着テープ９の自由端部を把持する。
【００２７】
フレーム３のアクチュエータ１７側における中間上部に、接着テープ９のロールを有するリール１１を支持する固定支持体を設ける。この支持体は、リール１１から所定の距離をおいてテープ９が移動する線上に設けられたカッター１０を有する。この距離については、リール支持構造の水平支持部にそってカッター１０を移動し、そして相互に短い距離をおいて設けられた穴にこれをねじ込むことによって調節できる。スライドシェルフ４の下であって、垂直な空圧ペンチ７とカッター１０との間において、スティッチ装置１２の上端に固定した第４線形運動アクチュエータ１３を並進させるために使用する短い２つの平行ガイドを固定する。アクチュエータ１３のアーム１４は、シェルフ４に固定し、スティッチ装置１２がシェルフに対して上下に並進できるように構成する。ディスペンサー／成形手段１が、テープ９にスティッチされているときにポンポン２を維持するように設けられたスティッチ装置１２に正確に対向する位置のエレベータが現れる上部開口を介してポンポン２を供給する。このテープ９の場合、短冊状の保護紙（図示省略）を、スティッチ装置１２に対向する上部の接着剤塗布面に貼着してある。保護紙に予め適当な間隔をおいて切れ目を入れておくと、保護紙の引き剥がしが簡単になる。あるいは、これら切れ目については、カッター１０内部にあるときに、入れてもよい。
【００２８】
次に、図９〜図１６について、本発明の製造方法に従って動作する図８の装置の動作を詳細に説明する。装置の構成については、個々のパーツは、既に市場に出回っているか、あるいは当業者によって簡単に設計できるため、公知である。なお、これらパーツは所定に位置に配置され、また目的の製品を得るために独特な方法でタイミングを合わせて動作する。この点で注意すべきは、装置が自由度をもち、従って異なる長さおよび異なるタイプの装着手段を製造でき、また多数の機能的／装飾用物品を製造できることである。テープ９に与えられる長さは、全体として、贈り物用包装体のサイズに依存するものであり、これは、装飾体それ自体のサイズについても部分的にいえる。従って、テープ９の長さは、リール１１からの考えられる最小の長さと最大の長さとの間において支持フレームワークにそってカッター１０の位置を調節することによって最大と最小との間で変更できる。カッター１０を所定位置に保持する装置も調節できるため、これとリール１１との間の距離も変更できる。なお、この変更は、別な線形運動アクチュエータによって自動的に行える。ガイド２１にそって上下動する線形運動アクチュエータ１９に与えられる位置、およびそのアーム２０の長さについては、リール１１がおしつぶされない程度に設定するが、安全性を強化するために、ガイド２１、２２にそって移動停止手段を設けてもよい。スティッチ装置１２はシェルフ４の垂直並進運動に関与し、その並進運動を加えるため、各動作サイクル開始時にこれを持ち上げ、空圧ペンチ７がカッター１０に到達し、テープが所定の長さに切断されるたびに、カッターを越えてテープ９の端部を拾い上げる。カッター１０の場合、刃が自動的に離れ、ペンチ７の２つの把持端部８、８´が刃を通過して接着テープ９の両面位置を占めるまで、切断後テープ９を保持する。スティッチ装置１２の代わりに、ステープラまたは接着剤を使用してもよい。空圧ペンチ７は９０°回転でき、この回転位置で断続的に機能し、一連のポンポンまたはその他の類似物品を、これらの大きさが小さい場合には、相互に各切断テープにスティッチする。この場合、制御マイクロプロセッサが、カッター１０を抑制保持し、アクチュエータ１５のアーム１６および空圧ペンチ７を前後に並進させるため、所定の短いテープ９をスティッチ装置１２の下に順次引き込むことができる。
【００２９】
以下、図８の装置を機能動作させる方法について説明する。なお、以下の図面においても図８と同じ符号を使用する。製造方法の各ステップは、順に、マイクロプロセッサに記憶されているプログラムに対応する。
【００３０】
ステップ１（図９）において、空圧ペンチ７がカッター１０を介してロール１１から接着テープ９を取り出す。
【００３１】
ステップ２（図１０）において、線形運動アクチュエータ１５のアーム１６の延伸によって移動する空圧ペンチ７が接着テープ９をディスペンサー／ポンポン成形手段１の上に搬送し、その後、カッター１０が予め設定された長さに接着テープ９を切断する。並進運動の長さは、テープ９の目的の長さに一致している。
【００３２】
ステップ３（図１１）において、図８のシェルフ４に接合した装置全体（即ち、１０、１０´、１１を除く、図面に示した部品すべて）を下げ、所定長さの接着テープ９をディスペンサー／ポンポン成形手段１の上に搬送し、第２の場合には、ポンポン２の仕上げ処理を行う。次に、スティッチ装置１２がポンポン２を接着テープ９にスティッチする。
【００３３】
ステップ４（図１２）において、上記と同じ機構をその始動レベルに持ち上げ、そして接着テープ９にスティッチされているため引っ張られ、ポンポン２がディスペンサー／ポンポン成形手段１に固定されているスタンド３０から外れる。
【００３４】
ステップ５（図１３）において、線形運動アクチュエータ１７のアーム１８の延伸によって移動する空圧ペンチ７が左にさらに並進し、所定長さのテープ９の一端にスティッチされたポンポン２を引っ張る一方で、別なポンポン３１をスタンド３０に準備しておく。アーム１８の延伸長さは、ステップ２の場合と同じである。即ち、所定長さのテープ９の自由端部を新たに成形されたポンポン３１の上に正確に搬送するために十分な長さである。
【００３５】
ステップ６（図１４）において、ステップ３と同様に、装置全体を新たなポンポン３１の上に下げ、スティッチ装置１２が第２のポンポンを所定長さの接着テープ９の他端にスティッチする。
【００３６】
ステップ７（図１５）において、ステップ４と同様に、装置全体を動作開始レベルまで持ち上げ、完成製品を搬送する。角度運動アクチュエータ５のアーム６が回転し、空圧ペンチ７を容器２３の上に位置させる（図８）。次に、空圧ペンチ７の把持端部８、８´が開き、製品を容器２３内に落とす。
【００３７】
ステップ８（図１６）において、角度運動アクチュエータ５の回転アームの場合と同様に、線形運動アクチュエータ１５、１７の延伸アーム１６、１８が初期位置に戻り、新たな装飾品を製造する新たな製造サイクルを開始する。空圧ペンチ７が移動し、別な接着テープ９を把持し、新たな装飾品３２をスタンド３０に準備する。
【００３８】
なお、一端に一つのポンポンをもつ装着手段を製造する実施態様では、ステップ１〜５を実行し、次に直接ステップ７、８に移る。即ち、第２ポンポンにスティッチするステップ６については省略する。
【００３９】
本発明について、実施の具体例を限定する意図なく、説明のみを目的として説明し、かつ本質的特長を説明してきたが、添付の請求項によって画定される発明の範囲から逸脱することなく各種の変更が可能である。
【図面の簡単な説明】
【００４０】
【図１】図１Ａは、既に公知は方法でギフトバッグの縁部を装着するために使用する簡単な接着テープを示す図である。図１Ｂ及び図１Ｃは、図１Ａに示した短冊状の接着テープで装着したギフトバッグをそれぞれ示す正面図および側面図である。
【図２】図２Ａ、図２Ｂは、既に言及した図であり、従来から行われている、公知手段によって装着し、かつ２種類の装飾品で仕上げ処理した同じギフトバッグを示す図である。
【図３】図３Ａは、既に言及した図であり、本発明の要旨に従ってギフトバッグを装着する装着装置の一例を示す図である。図３Ｂは、本発明の請求の範囲に記載しなかった例を示す図である。
【図４】図４Ａは、既に言及した図であり、本発明の要旨に従ってギフトバッグを装着する装着装置の一例を示す図である。図４Ｂは、本発明の請求の範囲に記載しなかった例を示す図である。
【図５】図５Ａは、既に言及した図であり、本発明の要旨に従ってギフトバッグを装着する装着装置の一例を示す図である。図５Ｂは、本発明の請求の範囲に記載しなかった例を示す図である。
【図６】既に言及した図であり、それぞれ、図５Ａの装置を利用して装着し、装飾処理したギフトバッグの正面図である。
【図７】既に言及した図であり、それぞれ、図５Ａの装置を利用して装着し、装飾処理したギフトバッグの側面図である。
【図８】図５に示した装着手段を連続製造する装置を示す一応の概略図である。
【図９】動作方法における各ステップ時、図８の装置の各構成部分が占めると考えられる往復運動位置を示す図である。
【図１０】動作方法における各ステップ時、図８の装置の各構成部分が占めると考えられる往復運動位置を示す図である。
【図１１】動作方法における各ステップ時、図８の装置の各構成部分が占めると考えられる往復運動位置を示す図である。
【図１２】動作方法における各ステップ時、図８の装置の各構成部分が占めると考えられる往復運動位置を示す図である。
【図１３】動作方法における各ステップ時、図８の装置の各構成部分が占めると考えられる往復運動位置を示す図である。
【図１４】動作方法における各ステップ時、図８の装置の各構成部分が占めると考えられる往復運動位置を示す図である。
【図１５】動作方法における各ステップ時、図８の装置の各構成部分が占めると考えられる往復運動位置を示す図である。
【図１６】動作方法における各ステップ時、図８の装置の各構成部分が占めると考えられる往復運動位置を示す図である。
【符号の説明】
【００４１】
１：ディスペンサー／成形手段、
２：ポンポン、
３：フレーム、
４：シェルフ、
６：回転アーム、
７：空圧ペンチ、
８：把持手段、
９：接着テープ、
１０：カッター、
１１：リール、
１２：スティッチ装置、
１５、１７、１９：アクチュエータ、
１８、２０：スライドアーム、
２１、２２：垂直ガイド。
【国際調査報告】
2009517121.tif 000019
2009517121.tif 000020
2009517121.tif 000021